(57)【要約】【課題】バーチャル顕微鏡における画像の表示範囲の移動に必要なユーザの操作を減らし観察作業を効率化することが可能な情報処理装置、情報処理方法及びそのプログラムを提供する。【解決手段】病理画像内の少なくとも一部を表示領域として表示部に表示させる表示処理部と、前記病理画像を走査するように前記表示領域を移動させるために必要な情報として、少なくとも、前記表示領域の前記病理画像中の位置情報および前記表示領域の移動方法に関する情報のユーザからの設定を受け付ける設定部と、前記設定された情報をもとに、前記表示領域を連続して移動させる自動シフト部とを具備する。【選択図】図１
2014048325.tif 000002
【特許請求の範囲】
【請求項１】
病理画像内の少なくとも一部を表示領域として表示部に表示させる表示処理部と、
前記病理画像を走査するように前記表示領域を移動させるために必要な情報として、少なくとも、前記表示領域の前記病理画像中の位置情報および前記表示領域の移動方法に関する情報のユーザからの設定を受け付ける設定部と、
前記設定された情報をもとに、前記表示領域を連続して移動させる自動シフト部と
を具備する情報処理装置。
【請求項２】
請求項１に記載の情報処理装置であって、
前記ユーザからの指示により、前記自動シフト部による前記表示領域の連続した移動による前記病理画像の表示と、前記病理画像全体の中でユーザからの前記表示領域の選択を受け付けて実行される前記病理画像の表示とを切り替える切り替え部
をさらに具備する情報処理装置。
【請求項３】
請求項１に記載の情報処理装置であって、
前記自動シフト部による前記表示領域の連続した移動によって表示された前記病理画像の中から１以上の前記表示領域単位の病理画像の選択を前記ユーザより受け付け、前記選択された１以上の前記表示領域単位の病理画像の表示に必要な情報をシーン情報として生成する生成部と、
前記シーン情報をもとに、前記ユーザにより選択された１以上の前記表示領域単位の病理画像を前記表示部に表示させる再現部と
をさらに具備する情報処理装置。
【請求項４】
請求項１に記載の情報処理装置であって、
前記自動シフト部が前記表示領域を連続して移動させる経路を決定する経路決定部
をさらに具備する情報処理装置。
【請求項５】
請求項４に記載の情報処理装置であって、
前記病理画像は、標本が載置されたスライドガラスを撮影した画像であり、
前記経路決定部は、
前記病理画像を空間的に区分する領域ごとに前記標本が存在する確率を有する存在マップを取得し、当該存在マップを用いて前記表示範囲を移動させる経路を決定する
情報処理装置。
【請求項６】
請求項４に記載の情報処理装置であって、
前記経路決定部は、
前記自動シフト部が前記表示領域を連続して移動させる範囲の指定を前記ユーザより受け付け、前記指定された範囲の中で前記表示領域を移動させる経路を決定する
情報処理装置。
【請求項７】
請求項４に記載の情報処理装置であって、
前記経路決定部は、
前記病理画像に撮影された標本の縁を認識し、前記縁に沿った経路を決定する
情報処理装置。
【請求項８】
表示処理部が、病理画像内の少なくとも一部を表示領域として表示部に表示させ、
設定部が、前記病理画像を走査するように前記表示領域を移動させるために必要な情報として、少なくとも、前記表示領域の前記病理画像中の位置情報および前記表示領域の移動方法に関する情報のユーザからの設定を受け付け、
自動シフト部が、前記設定された情報をもとに、前記表示領域を連続して移動させる
情報処理方法。
【請求項９】
病理画像内の少なくとも一部を表示領域として表示部に表示させる表示処理部、
前記病理画像を走査するように前記表示領域を移動させるために必要な情報として、少なくとも、前記表示領域の前記病理画像中の位置情報および前記表示領域の移動方法に関する情報のユーザからの設定を受け付ける設定部、および
前記設定された情報をもとに、前記表示領域を連続して移動させる自動シフト部
としてコンピュータを機能させるための情報処理プログラム。
【発明の詳細な説明】
【技術分野】
【０００１】
本技術は、本発明は、医療、病理、生物、材料等の分野において顕微鏡により得られた画像の表示を制御する情報処理装置、情報処理方法、および情報処理プログラムに関する。
【背景技術】
【０００２】
医療または病理等の分野において、光学顕微鏡により得られた、生体の細胞、組織、臓器等の画像をデジタル化し、そのデジタル画像に基づき、医師や病理学者等がその組織等を検査したり、患者を診断したりするシステムが提案されている。
【０００３】
例えば、特許文献１に記載の方法では、顕微鏡により光学的に得られた画像が、ＣＣＤ（Charge Coupled Device）を搭載したビデオカメラによりデジタル化され、そのデジタル信号が制御コンピュータシステムに入力され、モニタに可視化される。病理学者はモニタに表示された画像を見て検査等を行う（例えば、特許文献１の段落［００２７］、［００２８］、図５参照）。このようなシステムは一般にバーチャル顕微鏡と呼ばれ、観察する画像はバーチャルスライドと呼ばれている。
【０００４】
なお、画像診断を補助する技術として、例えば特許文献２には、低倍率で標本を走査して異常細胞を核の形状に基づき自動的に抽出し、抽出された細胞の領域を高倍率で撮影してその画像を保存することにより、抽出された異常細胞を病理医等が後で当該画像に基づいて評価できるようにする装置が開示されている。
【０００５】
また、特許文献３には、標本走査により自動的に抽出した異常細胞のＸＹ座標を記録しておくようにし、電動ステージを備える顕微鏡下でその座標を後に再現して当該異常細胞を観察できるようにする装置が開示されている。
【先行技術文献】
【特許文献】
【０００６】
【特許文献１】特開２００９−３７２５０号公報
【特許文献２】特表２０００−５０１１８４号公報
【特許文献３】特表２００４−５１７３４９号公報
【発明の概要】
【発明が解決しようとする課題】
【０００７】
ところで、上記特許文献１に記載のような従来のバーチャル顕微鏡において、ユーザが画像の表示範囲を移動したり、画像をズームしたりする場合、ユーザは例えばマウスをドラッグしたりホイールを回転させたりする操作を繰り返す必要がある。
【０００８】
しかしながら、上記バーチャル顕微鏡で扱われるバーチャルスライド画像は例えば５０×５０（Kpixel：キロピクセル）といった巨大なサイズの画像であり、このような画像中をくまなく観察するのはユーザにとって非常に骨の折れる作業であった。
【０００９】
従来のバーチャル顕微鏡においてユーザが診断を行う場合、マウスやコントローラなどの入力装置を操作して、精細な画像を隅から隅まで観察することは、操作の自由度が高い反面、画像ごとに毎回同じような操作が必要となり手間や時間がかかっていた。
【００１０】
特に病理医はそういった作業を一日中行うため、操作が煩わしいとそれがストレスとなり、本来発見されるべき病理組織の変化の見落とし等が発生し誤診を招く可能性もある。
【００１１】
以上のような事情に鑑み、本技術の目的は、バーチャル顕微鏡における画像の表示範囲の移動に必要なユーザの操作を減らし観察作業を効率化することが可能な情報処理装置、情報処理方法及びそのプログラムを提供することにある。
【課題を解決するための手段】
【００１２】
（１）上記目的を達成するため、本技術の一形態に係る情報処理装置は、病理画像内の少なくとも一部を表示領域として表示部に表示させる表示処理部と、前記病理画像を走査するように前記表示領域を移動させるために必要な情報として、少なくとも、前記表示領域の前記病理画像中の位置情報および前記表示領域の移動方法に関する情報のユーザからの設定を受け付ける設定部と、前記設定された情報をもとに、前記表示領域を連続して移動させる自動シフト部とを具備する。
【００１３】
本技術では、設定部が受け付けた、表示部に表示させる表示領域の位置と、病理画像上を走査するように表示領域を移動させる移動方法とに基づいて、自動シフト部が表示領域を自動的に連続して移動させる。そのため、ユーザが病理画像を観察する際には、ユーザは操作を行わなくても、自動的に表示部に病理画像が順次表示されるので、バーチャル顕微鏡における画像の表示範囲の移動に必要なユーザの操作を減らし観察作業を効率化することができる。
【００１４】
（２）上記目的を達成するため、本技術の一形態に係る情報処理装置は、前記ユーザからの指示により、前記自動シフト部による前記表示領域の連続した移動による前記病理画像の表示と、前記病理画像全体の中でユーザからの前記表示領域の選択を受け付けて実行される前記病理画像の表示とを切り替える切り替え部をさらに具備する。
【００１５】
本技術では、自動シフト部により表示領域が自動的に連続して移動され病理画像が表示される自動観察モードと、ユーザが病理画像全体の中で表示領域の位置を選択して病理画像を表示させる手動観察モードとが適宜切り替えて運用される。そのため、ユーザは、自動観察モードと手動観察モードとを最適に組み合わせて病理画像の観察を行うことができる。
【００１６】
（３）上記目的を達成するため、本技術の一形態に係る情報処理装置では、前記自動シフト部による前記表示領域の連続した移動によって表示された前記病理画像の中から１以上の前記表示領域単位の病理画像の選択を前記ユーザより受け付け、前記選択された１以上の前記表示領域単位の病理画像の表示に必要な情報をシーン情報として生成する生成部と、前記シーン情報をもとに、前記ユーザにより選択された１以上の前記表示領域単位の病理画像を前記表示部に表示させる再現部とをさらに具備する。
【００１７】
本技術では、表示部に順次表示される、表示領域単位の病理画像に対してユーザが特定の操作を行うと、その操作を行った時点の表示領域単位の病理画像を再度表示部に表示させるために必要な情報が、シーン情報として生成される。ユーザが再度、操作を行った時点の表示領域単位の病理画像を表示部に表示させるために、再現部がシーン情報を用いて画像表示を再現する。そのため、ユーザは、自動シフト部が自動的に表示した画像を、情報処理装置に記憶させ、後ほど呼び出して観察することができるので観察作業を効率化することができる。
【００１８】
（４）上記目的を達成するため、本技術の一形態に係る情報処理装置では、前記自動シフト部が前記表示領域を連続して移動させる経路を決定する経路決定部をさらに具備する。
【００１９】
本技術では、経路決定部が、表示領域を連続して移動させる経路を計算して決定するので、ユーザの選択により表示領域が移動される場合に起きがちな画像の見落としの発生を防ぐことができる。
【００２０】
（５）上記目的を達成するため、本技術の一形態に係る情報処理装置では、前記病理画像は、標本が載置されたスライドガラスを撮影した画像であり、前記経路決定部は、前記病理画像を空間的に区分する領域ごとに前記標本が存在する確率を有する存在マップを取得し、当該存在マップを用いて前記表示範囲を移動させる経路を決定する構成でもよい。
【００２１】
本技術では、標本の載置されたスライドガラスを撮影した画像を複数の領域に区分し、画像認識等によりその領域ごとに標本が撮影されている（存在している）確からしさを数値により表した存在マップを用いて、表示領域を移動させる経路を決定する。そのため、本技術にかかる情報処理装置は、病理画像のうち、標本が写っている領域だけを自動的に表示することができる。
【００２２】
（６）上記目的を達成するため、本技術の一形態に係る情報処理装置では、前記経路決定部は、前記自動シフト部が前記表示領域を連続して移動させる範囲の指定を前記ユーザより受け付け、前記指定された範囲の中で前記表示領域を移動させる経路を決定する構成でもよい。
【００２３】
本技術では、ユーザが明示的に指定した範囲内で表示領域が移動するように経路が決定される。そのため、ユーザが不要と判断した個所の表示を省いて、効率的に病理画像の観察を行う事ができる。
【００２４】
（７）上記目的を達成するため、本技術の一形態に係る情報処理装置では、前記経路決定部は、前記病理画像に撮影された標本の縁を認識し、前記縁に沿った経路を決定する構成でもよい。
【００２５】
本技術では、画像認識等により認識された標本の縁に沿って、表示領域の移動が行われるので、標本の縁が複雑な形状であっても、ユーザの手を煩わせることなく、病理画像の観察を効率的に行うことができる。
【００２６】
（８）上記目的を達成するため、本技術の一形態に係る情報処理方法では、表示処理部が、病理画像内の少なくとも一部を表示領域として表示部に表示させ、設定部が、前記病理画像を走査するように前記表示領域を移動させるために必要な情報として、少なくとも、前記表示領域の前記病理画像中の位置情報および前記表示領域の移動方法に関する情報のユーザからの設定を受け付け、自動シフト部が、前記設定された情報をもとに、前記表示領域を連続して移動させる。
【００２７】
（９）上記目的を達成するため、本技術の一形態に係る情報処理プログラムは、病理画像内の少なくとも一部を表示領域として表示部に表示させる表示処理部、前記病理画像を走査するように前記表示領域を移動させるために必要な情報として、少なくとも、前記表示領域の前記病理画像中の位置情報および前記表示領域の移動方法に関する情報のユーザからの設定を受け付ける設定部、および前記設定された情報をもとに、前記表示領域を連続して移動させる自動シフト部としてコンピュータを機能させる。
【発明の効果】
【００２８】
以上のように、本技術によれば、バーチャル顕微鏡における画像の観察作業を効率化することができる。
【図面の簡単な説明】
【００２９】
【図１】ビューワの表示領域に表示するバーチャルスライドの部分をパン操作により徐々に滑らかに移動させてバーチャルスライドの全体を走査することにより表示する方法に基づきバーチャルスライドの表示を行う例を示す図である。
【図２】ビューワの表示領域に表示するバーチャルスライドの部分をパン操作により徐々に滑らかに移動させてバーチャルスライドの全体を走査することにより表示する方法に基づきバーチャルスライドの表示を行う別の例を示す図である。
【図３】ユーザにより選択された表示倍率に対応する解像度のバーチャルスライドの全体画像を、ビューワの表示領域の大きさによって分割し、分割したそれぞれの画像を画面を切り替えて順次表示する方法に基づきバーチャルスライドの表示を行う例を示す図である。
【図４】存在マップＭの例を示す図である。
【図５】標本が存在している領域のみをビューワの表示領域として走査を行う様子を示す図である。
【図６】自動観察モードを始める前に、ユーザが予めバーチャルスライド全体を表したマップ上で、自動観察の走査を行う範囲を選択し、その範囲内が走査される様子を示した図である。
【図７】標本の縁のみを、自動観察モードにより観察する様子を示す図である。
【図８】ビューワが左から右方向への走査を行っている際に、ユーザが下方向への表示領域の移動の指示操作を２回行った様子を示す図である。
【図９】ビューワの表示領域が標本の縁まで移動してきた時点において、ユーザがさらに右方向または真下方向に表示領域を移動させようとした際に、ビューワが移動方向を左斜め下に修正した様子を示す図である。
【図１０】本技術に係るビューワ５００の典型的な使用環境を表した図である。
【図１１】本技術に係るビューワ５００のハードウェアの構成を示すブロック図である。
【図１２】デジタル病理サーバ４００の機能ブロックを示す図である。
【図１３】ビューワ５００の機能ブロックを示す図である。
【図１４】ビューワ５００における全体の処理の流れを示すフローチャートである。
【図１５】特定のシーンを選択する際の処理の流れを示すフローチャートである。
【図１６】自動観察モードに関する処理の流れを示すフローチャートである。
【図１７】自動観察モードの範囲限定に関する処理の流れを示すフローチャートである。
【発明を実施するための形態】
【００３０】
以下、本技術に係る実施形態を、図面を参照しながら説明する。
＜第１の実施形態＞
［本技術の概要について］
バーチャルスライドを観察する際に、ユーザ（病理医）がビューワに対して通常行う主な操作はパン移動とズームである。本技術では、これらの操作の一部を自動化し、ユーザの負担を軽減する。
【００３１】
本技術では、ユーザによる任意の操作に応じてビューワがパンやズームを行いバーチャルスライドの表示を変更する手動観察モードとは別に、自動観察モードを用意する。この自動観察モードでは、ビューワが自動的に画像表示を切り替えるので、ユーザは操作よりも診断に注力することができる。また、自動観察モードでは、バーチャルスライドに撮影された標本全体をくまなく表示するので、画像の一部見落としを防止することができる。
【００３２】
なお、以下では自動観察モード、手動観察モードという用語を用いるが、これらは、自動ビューイングモード、手動ビューイングモードとも呼ぶ。
【００３３】
［本技術が対象とする画像診断の方法について］
顕微鏡を用いた診断のうち、例えば細胞診では、一般に以下のように診断が行われる。まず、検査士が、比較的低倍（例えば１０倍）の対物レンズを使用して標本全体をスクリーニングして、悪性な細胞若しくは非正常な細胞の探索を行う。
【００３４】
ここで、疑わしい細胞を見つけた場合には、細胞の構造をより詳細に観察するために、対物レンズを高倍のもの（例えば４０倍）に変更し、焦点位置を変えながら詳細に観察して目的の細胞であるか否かを判断する。
【００３５】
このように、画像診断方法の一つとして、低倍率の画像表示でバーチャルスライドを全体的に観察した後、詳細を確認したい箇所を高倍率で表示して詳細に観察していくという診断方法がある。
【００３６】
本技術は、このような診断方法の効率化をサポートするものである。すなわち、低倍率の画像表示でバーチャルスライド全体を観察する際の表示を自動化してユーザによるパン操作の手間を省き、かつ画像の見落としを防止するものである。
【００３７】
［自動観察モードでの表示方法について］
自動観察モードにおけるバーチャルスライドの表示方法には、２つの方法がある。１つの表示方法は、ビューワの表示領域に表示するバーチャルスライドの部分をパン操作により徐々に滑らかに移動させてバーチャルスライドの全体を走査することにより表示する方法である。
【００３８】
図１は、ビューワがこの方法に基づきバーチャルスライドの表示を行う例を示す図である。この図では、最初にバーチャルスライドの左上端に表示領域が位置づけられ、そこから右端まで表示領域が移動し、右端まで行くと下方向に表示領域が少し移動した後、また左端まで表示領域が移動することにより画像全体が走査される様子が示されている。
【００３９】
図２も同様に、ビューワがこの方法に基づきバーチャルスライドの表示を行う例を示す図である。この図では、最初にバーチャルスライドの中心部に表示領域が位置づけられ、そこから反時計回りに螺旋状に表示位置の移動が行われている。
【００４０】
自動観察モードにおけるバーチャルスライド表示の第２の方法は、ユーザにより選択された表示倍率に対応する解像度のバーチャルスライドの全体画像を、ビューワの表示領域の大きさによって分割し、分割したそれぞれの画像を画面を切り替えて順次表示する方法である。
【００４１】
図３は、ビューワがこの方法に基づきバーチャルスライドの表示を行う例を示す図である。この図の左側は、バーチャルスライド全体を、ビューワの表示領域の大きさに合わせて分割する様子を示している。図の右側は、ビューワの表示領域の大きさに合わせて分割された画像を、例えば左上端に位置する画像から右側方向の画像へと時間の経過と共に順に切り替えて表示していく様子を示している。
【００４２】
［自動観察モードと手動観察モードとの切り替えについて］
ユーザは、ビューワを用いてバーチャルスライドを観察するときに、自動観察モードと手動観察モードとを自由に切り替えることができる。例えば、ユーザが手動観察モードでバーチャルスライドの観察を行っている際に、プルダウンメニューから自動観察モードを選択することにより、自動観察モードが開始される。また、ビューワが自動観察モードにある時に、ユーザが例えばズーム操作を行うと、自動観察モードが一時的に解除され、手動観察モードとなり、当該ズーム操作が行われる。自動観察モードと手動観察モードとの切り替えの詳細については、後述する全体の処理の流れの説明で述べる。
【００４３】
［自動観察モードにおいて設定する項目について］
自動観察モードにおいて、ビューワが行う表示動作を指定するための項目を、ユーザは自動観察モードを開始する前に設定しておく必要がある。以下がその項目である。
【００４４】
（１）表示倍率（自動観察モードにおいてバーチャルスライドをビューワの表示領域に表示する倍率である。例えば、１倍から４０倍のうちいずれかの倍率となる。）
【００４５】
（２）表示開始位置（ビューワの表示領域に最初に表示するバーチャルスライドの個所を指定する。例えば、スライドの左上や左下、右上、右下、画像の中心などである。）
【００４６】
（３）走査方向（ビューワの表示領域をバーチャルスライド上で動かす方向である。例えば、スライドの左上から右下へ、右上から左下へ、左下から右上へ、右下から左上へ、中心部から時計回り螺旋状に、中心部から反時計回りに螺旋状に、などの走査方向が考えられる。）
【００４７】
（４）表示切り替え方法（自動観察モードにおける表示切り替えの方法である。上述のとおり、走査方向に表示範囲を徐々に移動させていく方法と、分割した画像を切り替えて表示していく方法とがある。）
【００４８】
（５）表示の切り替え速度または表示の移動速度（例えば、ビューワの表示領域をｙ秒あたりｘミリメートル移動させたり（ｘ［ｍｍ］／ｙ［ｓ］）、毎秒ｚフレームの表示を行ったり（ｚ［ｆｐｓ］）するように指定することが考えられる。）
【００４９】
（６）存在マップ（後述）の利用（例えば、バーチャルスライド上でビューワの表示領域を移動させる経路を決定するために、存在マップを利用することが考えられる。）
【００５０】
なお、上記の各項目は、予め設定されてもよいし、ユーザが自動観察モードを開始する際に設定が行われてもよい。
【００５１】
また、ビューワは、手動観察モードにおける一人のユーザあるいは複数のユーザによる複数回のユーザ操作を学習して、上記項目に関して頻繁に使用される値や最適な値を覚え、それらの値を自動観察モードのときに自動的に設定する構成でもよい。
【００５２】
［存在マップについて］
存在マップとは、元々、標本が載っているスライドガラスを撮影してバーチャルスライドを作成する際に、スライドガラス上のどの部分を顕微鏡により撮影するかを決めるために作られるマップである。存在マップは、標本が載っているスライドガラスをマクロ撮影して得られた画像を複数の領域に分割し、分割したそれぞれの領域ごとに、その中に標本が写っているか否かを画像認識等により判断して数値化するものである。
【００５３】
図４は、存在マップＭの例を示す図である。この図では、マクロ撮影された画像が２５等分され複数の領域に分割されており、各領域には０から２までの数字が割り当てられている。０はその領域に標本が存在する確率が最も低いことを示し、２は逆にその領域に標本が存在する確率が最も高いことを示し、１は標本が存在する確率がこれらの中間の確率であることを示す。
【００５４】
存在マップは、バーチャルスライドの画像内のどこに標本が写っているかの情報を与えてくれるので、上述のとおり、自動観察モードでバーチャルスライドを表示する際にこの存在マップを用いることにより、標本の写っている領域だけを表示させることができる。
【００５５】
［シーンの設定について］
自動観察モードは、上述のとおり、低倍率でバーチャルスライド全体を観察し、その後、気になった個所を高倍率で観察する診断方法において、低倍率でバーチャルスライド全体を観察する動作を自動化するものである。低倍率での観察中に気になった個所があれば、その個所を記憶しておき、後で高倍率での観察の際にすぐその個所を観察できるようにするのが便利である。
【００５６】
本技術では、自動観察モードでの観察の最中に、ユーザが気になった個所が見つかった場合、特定の操作を行うことにより、その個所をシーンとして記憶しておき、後で手動観察モードに切り替えた際に、そのシーンに簡単にジャンプすることができる。ビューワの内部動作としては、シーンとして記憶する際に、そのシーンの座標位置および表示倍率を記憶し、ジャンプする際には、記憶しておいた座標位置および表示倍率をもとに、そのシーンを再現することを行う。
【００５７】
なお、シーンは、１つのバーチャルスライドに対し複数個所記憶できるように構成してもよい。そうするとユーザは、手動観察モードに移ったのち、複数のシーンから目的のシーンを選んでジャンプすることができる。
【００５８】
［シーンの応用例について］
上記のシーンの設定では、自動観察モードのときに記憶したシーンを、手動観察モードに切り替えた後に利用した。同様の考えを、手動観察モードから自動観察モードに復帰する際にも利用することもできる。
【００５９】
自動観察モードでの観察中に、気になった個所が見つかり、その個所の詳細をすぐ観察したい場合、ユーザがズーム操作などを行うと、自動観察モードが手動観察モードに切り替わると共に、ビューワは、自動観察中断時の状態（座標位置と上記自動観察モードでの設定項目）を記憶する。ユーザが手動観察モードでの観察を行った後に、もう一度自動観察モードへの切り替えを行うと、ビューワは、記憶されている自動観察中断時の状態に基づき、自動観察モードが中断した際の表示を再現し、自動観察の中断時点から自動観察モードが再開される。
【００６０】
［自動観察モードの効果的な利用について（存在マップとの組み合わせ）］
ここでは、自動観察モードの機能をさらに効果的に使用する方法を説明する。
【００６１】
まず存在マップとの組み合わせである。存在マップを用いることにより、バーチャルスライドの全画像中で、標本が存在している領域がどの領域であるかが分かれば、ビューワはそれらの領域のみを表示領域として表示すればよいので、より効率的な自動観察を行うことができる。図５は、標本が存在している領域のみをビューワの表示領域として走査を行う様子を示す図である。
【００６２】
［自動観察モードの効果的な利用について（ユーザによる領域指定）］
上記の構成では、バーチャルスライドの画像のうち、標本が存在する領域の情報が存在マップにより与えられた。存在マップを用いる代わりに、ユーザにより、ビューワが走査すべき領域が指定されてもよい。図６は、自動観察モードを始める前に、ユーザが予めバーチャルスライド全体を表したマップ上で、自動観察の走査を行う範囲を選択し、その範囲内が走査される様子を示した図である。この構成により、ユーザは、明らかに観察する必要が無い領域を明示的に走査対象から外すことができる。
【００６３】
［自動観察モードの効果的な利用について（他システムとの連携）］
他のシステムと連携させて、この自動観察モードを用いてもよい。例えば、特許文献２または特許文献３に開示されているような医療診断支援システムと連携して、これらのシステムから観察すべきと思われる個所を提示してもらい、その個所のみを対象に自動観察を行うことが考えられる。また、対象をその個所に絞らずに、あくまで優先的に観察を行い、優先的な観察の後は、それ以外の個所の観察も行うようにすることもできる。
【００６４】
また逆に、連携するシステムから提示された個所を、最初に手動観察モードで観察し、まだ観察していない領域のみを対象として自動観察モードにより観察を行う構成でもよい。
【００６５】
［自動観察モードの効果的な利用について（標本の縁を対象とした観察）］
バーチャルスライドに写っている標本から画像認識により縁の部分だけを取り出し、その縁のみを自動観察の対象にすることも考えられる。また縁のみを対象にするのではなく、あくまで縁は優先的に自動観察し、その後それ以外の領域についても自動観察を行う構成でもよい。図７は、標本の縁のみを、自動観察モードにより観察する様子を示す図である。
【００６６】
なお、例えば、胃がんの場合は標本の縁から優先的に自動観察を行うなど、標本の部位や症例に応じて、自動観察の走査方法を変えることも考えられる。
【００６７】
［自動観察モードの補助的な利用について（ユーザ操作の補助）］
自動観察モードの機能は、ユーザ操作の補助として使用することもできる。
【００６８】
上記の説明では、自動観察モードにおけるビューワの表示領域をバーチャルスライド上で移動させる走査は、例えば図１の場合は、スライドの左右方向に行った後、上下方向に行うというように、交互に行い、スライドの全体を走査した。
【００６９】
しかし、ここでは、自動観察モードをユーザ操作の補助として使うので、自動観察モードでは、例えばスライドの左右方向の走査のみを行う構成が考えられる。この場合、ユーザは、上下方向の操作を行うことになる。自動観察モードでもユーザの操作が受け付けられるので、バーチャルスライドの画像表示に関してユーザの自由度を上げることができる。また、手動観察モードに比べれば、左右方向の走査はビューワが行うので、ユーザによる操作の手間を軽減することができる。
【００７０】
図８は、ビューワが左から右方向への走査を行っている際に、ユーザが下方向への表示領域の移動の指示操作を２回行った様子を示す図である。
【００７１】
この図に示すように、ユーザが操作を加えることで表示されない領域が発生してしまうことがある。その場合は、一連の自動観察が終了した後、未表示の領域だけを引き続き表示するように構成してもよい。
【００７２】
［自動観察モードの補助的な利用について（ユーザ操作の利便性向上）］
上記の例では、自動観察モードをユーザ操作の補助として使う例を示したが、同様に、ユーザが手動観察モードにおいてバーチャルスライドの観察を行っている際に、ユーザの利便性を向上させるように、ユーザ操作をガイドすることも考えられる。
【００７３】
図９は、ビューワの表示領域が標本の縁まで移動してきた時点において、ユーザがさらに右方向または真下方向に表示領域を移動させようとした際に、ビューワが移動方向を左斜め下に修正した様子を示す図である。
【００７４】
この図にあるように、ビューワが標本の縁を表示している際、ビューワが存在マップなどにより標本が存在している領域の情報をもっている場合、またはユーザが操作した方向（右または真下）に標本が無いことが分かっている場合、ビューワはその方向への移動を制限する。またさらに、ビューワは、表示領域の移動方向を真下ではなく左斜め下に修正する。ビューワがこのようなユーザ操作のサポートを行うことにより、ビューワを用いてバーチャルスライドを観察する際の操作性を向上させることができる。
【００７５】
［自動観察モードでの観察中の設定値の動的な変更］
上記の説明では、自動観察モードに関する各種設定値は、自動観察モードを開始する前に設定するとしたが、これらの値を自動観察モードでの観察中に動的に変更できる構成も考えられる。この構成では、自動観察モードでの観察の際に、より自由度の高い観察を行うことができる。
【００７６】
例えば、自動観察モードでの観察中に、特定の操作を行うと、表示の移動や切り替えの速度を速めたり遅くしたりすることができる。
【００７７】
［学習による設定値の生成または変更］
上記の説明では、自動観察モードの設定値は、自動観察モードを開始する前または開始時にユーザにより明示的に設定されるか、自動観察モードでの観察中にユーザにより明示的に変更される構成を述べた。これらの構成以外に、ビューワが手動観察モードでのユーザ操作を学習し、その学習した内容から自動観察モード用の設定値の設定や更新を行う構成でもよい。この構成によると、ユーザが自動観察モードのために明示的に設定値を設定する手間を省くことができる。
【００７８】
［ビューワの使用環境について］
病理診断において、検体を顕微鏡を用いて撮影したバーチャルスライド（病理画像）を用いて病理医が診断を行う環境の全体像を説明する。病理医は、ビューワを用いて、バーチャルスライドを観察し、画像診断を行う。図１０は、本技術に係るビューワ５００の典型的な使用環境を表した図である。
【００７９】
顕微鏡１０およびスキャナ用コンピュータ２０からなるデジタル病理スキャナ１００は、病院内の組織学ラボＨＬに設置されている。顕微鏡１０により撮影されたＲＡＷ画像は、スキャナ用コンピュータ２０上において、現像処理、シェーディング処理、カラーバランス補正、ガンマ補正、８ｂｉｔ化処理などの画像処理が行われる。その後、例えば縦横２５６ピクセルのタイル状に分割され、ＪＰＥＧ（Joint Photographic Experts Group）画像に変換され圧縮された後、ハードディスクＨＤ１上に格納される。
【００８０】
スキャナ用コンピュータ２０のハードディスクＨＤ１に格納されたＪＰＥＧ画像は、次に、同じ病院内のデータセンタＤＣにあるデジタル病理サーバ４００上のハードディスクＨＤ２に、ネットワーク３００を経由してアップロードされる。
【００８１】
観察者である病理医は、病院内の病理学室ＰＲまたは病院外の建物ＥＸにいてデジタル病理サーバ４００とネットワーク３００により接続されたビューワ５００を用いて、デジタル病理サーバ４００のハードディスクＨＤ２に格納されたＪＰＥＧ画像を観察する。
【００８２】
また、観察者である病理医は、ビューワ５００に指示することにより、ビューワの画面上に表示されている画像を、シーンとして記録することができる。
【００８３】
［ビューワ５００の構成について］
次に、ビューワ５００のハードウェア構成について説明する。
図１１は、本技術に係るビューワ５００のハードウェアの構成を示すブロック図である。
【００８４】
ビューワ５００は、演算制御を行うＣＰＵ(Central Processing Unit)２１、ＲＯＭ(Read Only Memory)２２、ＣＰＵ２１のワークメモリとなるＲＡＭ(Random Access Memory)２３、ユーザの操作に応じた命令が入力される操作入力部２４を備える。ビューワ５００はさらに、インターフェイス部２５、出力部２６（表示部）、記憶部２７、ネットワークインターフェイス部２８、およびこれらを互いに接続するバス２９を備える。
【００８５】
ＲＯＭ２２には、各種の処理を実行するためのプログラムが格納される。インターフェイス部２５には、コントローラ３０が接続されている。コントローラ３０には、各種ボタンやスティックが備えられておりユーザによる様々な入力を受け付けることができる。
【００８６】
またコントローラ３０は、加速度センサや傾きセンサを内蔵しており、ユーザがコントローラ３０を傾けたり振ったりすることによりコントローラ３０に与える指示を受け付けることができる。
【００８７】
ネットワークインターフェイス部２８には、ネットワーク３００が接続される。出力部２６には、画像表示用として、液晶ディスプレイ、ＥＬ（Electro Luminescence）ディスプレイ又はプラズマディスプレイ等が適用される。記憶部２７には、ＨＤＤ（Hard Disk Drive）に代表される磁気ディスクもしくは半導体メモリ又は光ディスク等が適用される。
【００８８】
ＣＰＵ２１は、ＲＯＭ２２および記憶部２７等に格納される複数のプログラムのうち、操作入力部２４から与えられる命令に対応するプログラムをＲＡＭ２３に展開し、該展開したプログラムにしたがって、出力部２６及び記憶部２７を適宜制御する。
【００８９】
ＣＰＵ２１は、後述する各機能ブロックを実現する。ＣＰＵ２１は、ＲＯＭ２２および記憶部２７等に格納されたプログラムを実行して、必要に応じて、上記各部材を制御する。これにより、ビューワ５００は、種々の機能ブロックを実現することができ、上記各部材を、ビューワ５００として動作させることができる。
【００９０】
［デジタル病理サーバ４００の構成について］
次に、デジタル病理サーバ４００のハードウェア構成について説明する。
デジタル病理サーバのハードウェア構成は、コントローラ３０がインターフェイス部２５に接続されていない点を除き、基本的にビューワ５００のハードウェア構成と同じである。そのため、詳細な説明は省略する。
【００９１】
［デジタル病理サーバ４００の機能ブロックについて］
次に、デジタル病理サーバ４００の機能ブロックについて説明する。デジタル病理サーバ４００の主な機能は、第１に、病理画像を、ビューワ５００からの要求に従い提供することである。
【００９２】
図１２は、デジタル病理サーバ４００の機能ブロックを示す図である。
【００９３】
デジタル病理サーバ４００は、画像格納部４１および画像提供部４２の機能ブロックを備えている。
【００９４】
画像格納部４１には、タイル状に分割されＪＰＥＧ圧縮された病理画像が格納されている。格納されている病理画像は、ビューワ５００からの要求に従い、画像提供部４２を介してビューワ５００に提供される。
【００９５】
画像提供部４２は、ネットワーク３００を介してビューワ５００から送られてくる画像要求に対応した病理画像を画像格納部４１から取得し、ネットワーク３００を介してビューワ５００に送信する。
【００９６】
なお、デジタル病理サーバ４００とビューワ５００とは、クライアント・サーバ型システムを構成しているので、どの機能をクライアント側に持たせ、どの機能をサーバ側に持たせるかは、設計事項である。それ故、上記各機能ブロックの実行場所は上述のデジタル病理サーバ４００上に限定されるものではなく、クライアント側であるビューワ５００上において実行される構成でもよい。
【００９７】
［ビューワ５００の機能ブロックについて］
次に、ビューワ５００の機能ブロックについて説明する。ビューワ５００の主な機能は、第１に、手動観察モードにおいて、病理医であるユーザからの操作指示を受け付け、対応する病理画像をデジタル病理サーバ４００から取得し、ユーザに対し表示することである。第２に、自動観察モードにおいて、病理画像をデジタル病理サーバ４００から自動的に取得し、ユーザに対し自動的に表示することである。
【００９８】
第３に、ユーザがシーンとして指定した表示画像に関する情報を保存し、ユーザからの指示等により保存したシーンを再現することである。図１３は、ビューワ５００の機能ブロックを示す図である。
【００９９】
ビューワ５００は、画像取得部５１（表示処理部）、自動観察モード設定部５２（設定部）、自動シフト部５３（自動シフト部）、経路決定部５４（経路決定部）、モード切り替え部５５（切り替え部）、シーン情報生成部５６（生成部）、シーンテーブル５７、シーン再現部５８（再現部）の機能ブロックを備えている。
【０１００】
画像取得部５１は、手動観察モードのときは、操作入力部２４から入力された、病理医であるユーザの指示に対応した病理画像を、ネットワーク３００を介してデジタル病理サーバ４００から取得し、取得した病理画像を出力部２６を介してユーザに提示する。
【０１０１】
また、画像取得部５１は、自動観察モードのときは、自動シフト部５３の指示に対応した病理画像を、ネットワーク３００を介してデジタル病理サーバ４００から取得し、取得した病理画像を出力部２６を介してユーザに提示する。
【０１０２】
自動観察モード設定部５２は、操作入力部２４を介してユーザによる自動観察モード実行時の設定値を受け取り、設定を行う。なお、自動観察モードの設定値は、ユーザにより設定されてもよいし、自動観察モード設定部５２が、手動観察モードの際のユーザの操作を学習することにより、自動的に設定がされてもよい。自動観察モード設定部５２は、自動シフト部５３が自動観察モードにおいて病理画像を自動的に表示するために必要な設定値を自動シフト部５３に提供する。
【０１０３】
自動シフト部５３は、ビューワ５００が自動観察モードのときに、ビューワ５００の画面上に表示される領域である表示領域を、病理画像全体の中に設定し、その表示領域を自動的に連続して移動させることにより、病理画像の自動表示を行う。自動表示を行う際のパラメータである設定値は、自動観察モード設定部５２から供給される。
【０１０４】
経路決定部５４は、自動シフト部５３が病理画像上において表示領域をシフトさせ移動させていく経路を決定する。経路は、存在マップを利用する場合や、ユーザによる表示範囲の指定の場合、標本の縁のみを表示する場合など、場合により変化する。
【０１０５】
モード切り替え部５５は、ユーザによる特定のビューワ操作により、自動観察モードと手動観察モードとを切り替える。
【０１０６】
シーン情報生成部５６は、病理画像がユーザに提示された際に入力されたユーザの指示に従い、提示中の画像の座標および表示倍率をシーン情報としてシーンテーブル５７に保存する。
【０１０７】
シーンテーブル５７は、各シーンのシーン情報をシーン情報生成部５６から受け付け、格納する。シーンテーブル５７に格納されたシーン情報は、シーン再現部５８により、各シーンを再現するために利用される。
【０１０８】
シーン再現部５８は、シーンテーブル５７のシーン情報に基づき各シーンを再現する。
【０１０９】
以上がビューワ５００の各機能ブロックの説明である。なお、ビューワ５００とデジタル病理サーバ４００とは、クライアント・サーバ型システムを構成しているので、どの機能をクライアント側に持たせ、どの機能をサーバ側に持たせるかは、設計事項である。それ故、上記各機能ブロックの実行場所は上述のビューワ５００上に限定されるものではなく、サーバ側であるデジタル病理サーバ４００上において実行される構成でもよい。
【０１１０】
［処理の流れ（全体）］
次に、全体の処理の流れについて説明する。なお、流れの中の一部については、詳細を後述する。図１４は、ビューワ５００における全体の処理の流れを示すフローチャートである。
【０１１１】
まず、自動観察モード設定部５２が、自動観察モードのための各種設定値の設定を行う（ステップＳ１）。設定に用いる値は、ユーザにより直接入力されてもよいし、自動観察モード設定部５２が手動観察モードの際にユーザが行った操作を学習して、そこから値を得てもよい。
【０１１２】
次に、自動観察モード設定部５２は、自動観察モード用に設定されている値を変更するか確認を行う（ステップＳ２）。変更がある場合は（ステップＳ２のＹＥＳ）、ステップＳ１に戻り、設定値の変更を行う。
【０１１３】
設定値の変更が無い場合（ステップＳ２のＮＯ）、次にビューワ５００は特定のシーンの選択を行う（ステップＳ３）。特定のシーンを選択する処理の詳細は、後述する。特定のシーンの選択が行われた後、ビューワ５００はユーザによるモード選択（ステップＳ４）または手動観察モードの実行（ステップＳ６）を行う。ユーザによるモード選択（ステップＳ４）では、モード切り替え部５５が、ユーザによる明示的な操作を受け付け、モードを自動観察モードにするか（ステップＳ５のＮＯ、ステップＳ８のＹＥＳ）、手動観察モードにするか（ステップＳ５のＹＥＳ）を選択する。
【０１１４】
手動観察モードが選択された場合、ビューワ５００は、手動による観察のための病理画像の表示を、観察が中断されるまで（ステップＳ７）行う。また、自動観察モードが選択された場合、ビューワ５００は、自動観察モードの実行（ステップＳ９）を行う。
以上がビューワ５００における全体の流れである。
【０１１５】
［処理の流れ（特定のシーンの選択）］
次に、特定のシーンの選択を行う際の処理の流れについて説明する。図１５は、特定のシーンを選択する際の処理の流れを示すフローチャートである。
【０１１６】
まず、シーン再現部５８は、再現するシーンが１つ以上保存されているか、また特定のシーンにジャンプする（再現する）か否かを判断する。
【０１１７】
シーンが１つも保存されていなかったり（ステップＳ３１のＮＯ）、特定のシーンを再現しなかったりする場合（ステップＳ３２のＮＯ）は、ステップＳ４のユーザによるモード選択の処理に進む。
【０１１８】
特定のシーンを再現する場合（ステップＳ３１のＹＥＳ、かつステップＳ３２のＹＥＳ）、シーン再現部５８は、まずユーザに再現するシーンの選択をさせ（ステップＳ３３）、次いで、画面に表示する病理画像の位置を選択したシーンの座標に設定する（ステップＳ３４）。
【０１１９】
特定のシーンが再現された後、ビューワ５００は、ステップＳ６の手動観察モードの実行処理に進む。
以上が、特定のシーンの選択に関する処理の流れである。
【０１２０】
［処理の流れ（自動観察モード）］
次に、自動観察モードに関する処理の流れについて説明する。図１６は、自動観察モードに関する処理の流れを示すフローチャートである。
【０１２１】
まず、図１４に示すステップＳ８において自動観察モードへの移行（ステップＳ８のＹＥＳ）が選択されると、自動観察モードにおける処理が開始または再開される（ステップＳ９１）。
【０１２２】
自動観察モードが新たに開始される場合、前回中断した時点の状態はシーンとして保存されていないので（ステップＳ９２のＮＯ）、まず自動観察モードの範囲を限定する処理（ステップＳ９３）から開始する。自動観察モードの範囲を限定する処理の詳細については後述する。
【０１２３】
前回中断した際の状態が、シーンとして残されている場合（ステップＳ９２のＹＥＳ）、シーン情報から前回中断した際の状態を再現する（ステップＳ９４）。
【０１２４】
新たな開始の場合および再開の場合の処理が済んだ後、自動シフト部５３は、自動観察モードでの自動表示を開始する（ステップＳ９５）。
【０１２５】
自動観察モードにおける全ての表示すべき領域の表示が完了したら（ステップＳ１００のＹＥＳ）、自動シフト部５３は、自動観察モードを終了する（ステップＳ１０１）。
【０１２６】
また、自動観察モードがユーザによる特定の操作により中断された場合（ステップＳ９６のＹＥＳ）、シーン情報生成部５６が現在の表示の状態をシーンとして保存する（ステップＳ９７）。
【０１２７】
その後ユーザが手動観察モードに戻るという指示を出せば（ステップＳ９８のＹＥＳ）、ビューワ５００は、自動観察モードを中断する（ステップＳ９９）。
【０１２８】
ユーザが手動観察モードには戻らないという指示を出せば（ステップＳ９８のＮＯ）、ビューワ５００は、ステップＳ９４に戻り、保存されたシーンの状態から自動観察モードを再開する。この処理が、上述した、自動観察モードから一時的に手動観察モードに切り替え、手動観察モードが終わった後、また自動観察モードに戻る処理の流れを表している。
以上が、自動観察モードに関する処理の流れである。
【０１２９】
［処理の流れ（自動観察モードの範囲限定）］
次に、自動観察モードの範囲限定に関する処理の流れについて説明する。図１７は、自動観察モードの範囲限定に関する処理の流れを示すフローチャートである。
【０１３０】
処理の流れは大きく３つに分かれる。存在マップを利用して表示する範囲を限定する場合（ステップＳ９３１のＹＥＳ）、ユーザが指定した範囲に表示する範囲を限定する場合（ステップＳ９３５のＹＥＳ）、限定を行わず全領域を表示する範囲に指定する場合（ステップＳ９３５のＮＯ）である。存在マップを利用する場合は、さらに、ユーザが指定した範囲に限定することもできる（ステップＳ９３３のＹＥＳ）。
【０１３１】
経路決定部５４は、それぞれの場合において、存在マップやユーザによる範囲指定などに応じた領域に表示を行う範囲を限定して設定する（ステップＳ９３２、Ｓ９３６、Ｓ９３７、Ｓ９３４）。
【０１３２】
次に、経路決定部５４は、上記各ステップにおいて設定された範囲に応じて、移動表示する経路を決定する（ステップＳ９３８）。その後、ビューワ５００は、ステップＳ９５の自動観察を実行するステップへ処理を進める。
以上が、自動観察モードの範囲限定に関する処理の流れである。
【０１３３】
［本技術の別の構成］
なお、本技術は以下のような構成も採ることができる。
（１）
病理画像内の少なくとも一部を表示領域として表示部に表示させる表示処理部と、
前記病理画像を走査するように前記表示領域を移動させるために必要な情報として、少なくとも、前記表示領域の前記病理画像中の位置情報および前記表示領域の移動方法に関する情報のユーザからの設定を受け付ける設定部と、
前記設定された情報をもとに、前記表示領域を連続して移動させる自動シフト部と
を具備する情報処理装置。
（２）
前記（１）に記載の情報処理装置であって、
請求項１に記載の情報処理装置であって、
前記ユーザからの指示により、前記自動シフト部による前記表示領域の連続した移動による前記病理画像の表示と、前記病理画像全体の中でユーザからの前記表示領域の選択を受け付けて実行される前記病理画像の表示とを切り替える切り替え部
をさらに具備する情報処理装置。
（３）
前記（１）または（２）に記載の情報処理装置であって、
前記自動シフト部による前記表示領域の連続した移動によって表示された前記病理画像の中から１以上の前記表示領域単位の病理画像の選択を前記ユーザより受け付け、前記選択された１以上の前記表示領域単位の病理画像の表示に必要な情報をシーン情報として生成する生成部と、
前記シーン情報をもとに、前記ユーザにより選択された１以上の前記表示領域単位の病理画像を前記表示部に表示させる再現部と
をさらに具備する情報処理装置。
（４）
前記（１）から（３）のうちいずれか１つに記載の情報処理装置であって、
前記自動シフト部が前記表示領域を連続して移動させる経路を決定する経路決定部
をさらに具備する情報処理装置。
（５）
前記（４）に記載の情報処理装置であって、
前記病理画像は、標本が載置されたスライドガラスを撮影した画像であり、
前記経路決定部は、
前記病理画像を空間的に区分する領域ごとに前記標本が存在する確率を有する存在マップを取得し、当該存在マップを用いて前記表示範囲を移動させる経路を決定する
情報処理装置。
（６）
前記（４）に記載の情報処理装置であって、
前記経路決定部は、
前記自動シフト部が前記表示領域を連続して移動させる範囲の指定を前記ユーザより受け付け、前記指定された範囲の中で前記表示領域を移動させる経路を決定する
情報処理装置。
（７）
前記（４）に記載の情報処理装置であって、
前記経路決定部は、
前記病理画像に撮影された標本の縁を認識し、前記縁に沿った経路を決定する
情報処理装置。
（８）
表示処理部が、病理画像内の少なくとも一部を表示領域として表示部に表示させ、
設定部が、前記病理画像を走査するように前記表示領域を移動させるために必要な情報として、少なくとも、前記表示領域の前記病理画像中の位置情報および前記表示領域の移動方法に関する情報のユーザからの設定を受け付け、
自動シフト部が、前記設定された情報をもとに、前記表示領域を連続して移動させる
情報処理方法。
（９）
病理画像内の少なくとも一部を表示領域として表示部に表示させる表示処理部、
前記病理画像を走査するように前記表示領域を移動させるために必要な情報として、少なくとも、前記表示領域の前記病理画像中の位置情報および前記表示領域の移動方法に関する情報のユーザからの設定を受け付ける設定部、および
前記設定された情報をもとに、前記表示領域を連続して移動させる自動シフト部
としてコンピュータを機能させるための情報処理プログラム。
【符号の説明】
【０１３４】
１０…顕微鏡
２０…スキャナ用コンピュータ
２１…ＣＰＵ
２２…ＲＯＭ
２３…ＲＡＭ
２４…操作入力部
２５…インターフェイス部
２６…出力部
２７…記憶部
２８…ネットワークインターフェイス部
２９…バス
４１…画像格納部
４２…画像提供部
５１…画像取得部
５２…自動観察モード設定部
５３…自動シフト部
５４…経路決定部
５５…モード切り替え部
５６…シーン情報生成部
５７…シーンテーブル
５８…シーン再現部
１００…デジタル病理スキャナ
３００…ネットワーク
４００…デジタル病理サーバ
５００…ビューワ
【図４】
2014048325.tif 000003
【図１０】
2014048325.tif 000004
【図１１】
2014048325.tif 000005
【図１２】
2014048325.tif 000006
【図１３】
2014048325.tif 000007
【図１４】
2014048325.tif 000008
【図１５】
2014048325.tif 000009
【図１６】
2014048325.tif 000010
【図１７】
2014048325.tif 000011
【図１】
2014048325.tif 000012
【図２】
2014048325.tif 000013
【図３】
2014048325.tif 000014
【図５】
2014048325.tif 000015
【図６】
2014048325.tif 000016
【図７】
2014048325.tif 000017
【図８】
2014048325.tif 000018
【図９】
2014048325.tif 000019